(57)【要約】【課題】従来の浴室戸は、スロープの表面に水が残留する場合があり、スロープの水切り性を高める必要性があった。【解決手段】枠体２と、枠体内部に設けた障子３とを備えると共に、枠体２を構成する下枠８に、浴室側に下り傾斜したスロープ９が設けてあり、スロープ９は、少なくとも表面が、本体材料領域Ａと、本体材料領域と異なる異種材料から成る異種材料領域Ｂとで形成してあり、本体材料領域Ａと異種材料領域Ｂとは、互いに撥水性が異なる浴室戸１とした。本体材料領域と異種材料領域との境界により、水滴の形成を阻止して流下させるようにし、スロープの水切り性の向上を実現した。【選択図】図１
2018188843.tif 000002
【特許請求の範囲】
【請求項１】
枠体と、枠体内部に設けた障子とを備えると共に、
枠体を構成する下枠に、浴室側に下り傾斜したスロープが設けてあり、
スロープは、少なくとも表面が、本体材料領域と、本体材料領域と異なる異種材料から成る異種材料領域とで形成してあり、
本体材料領域と異種材料領域とは、互いに撥水性が異なることを特徴とする浴室戸。
【発明の詳細な説明】
【技術分野】
【０００１】
本発明は、浴室の出入口に設置する浴室戸に関し、とくに、浴室側にスロープを備えた浴室戸の改良に関するものである。
【背景技術】
【０００２】
従来の浴室戸としては、例えば、浴室ドア枠における段差解消部材の名称で、特許文献１に記載されたものがある。特許文献１に記載の浴室ドア枠は、下枠の浴室側に段差解消部材を備えている。段差解消部材は、スロープを有し、このスロープに通気部を設けると共に、通気部に、遮水性及び水蒸気透過性を有する通気性部材が設けてある。
【０００３】
上記の浴室ドア枠は、通気部に設けた通気性部材により、段差解消部材と浴室床面との間に浸入した水を素早く蒸発させて、乾燥させるようにしたものである。近年では、浴室内の安全性や衛生面などの観点から、速やかに乾燥させるために様々な改良が行われており、上記した浴室ドア枠もその一例である。
【先行技術文献】
【特許文献】
【０００４】
【特許文献１】特開２００９−１７４２７７号公報
【発明の概要】
【発明が解決しようとする課題】
【０００５】
しかしながら、上記したような浴室戸は、浴室の出入口の段差を解消するためにスロープを有しているが、スロープが比較的緩い傾斜であることから、その表面に水が残留する場合があり、スロープの水切り性（水はけ）を高めるうえで改善の余地があった。
【０００６】
本発明は、上記従来の状況に鑑みて成されたものであって、浴室側にスロープを備えた浴室戸において、スロープの水切り性を高めることができる浴室戸を提供することを目的としている。
【課題を解決するための手段】
【０００７】
本発明に係わる浴室戸は、枠体と、枠体内部に設けた障子とを備えると共に、枠体を構成する下枠に、浴室側に下り傾斜したスロープが設けてあり、スロープは、少なくとも表面が、本体材料領域と、本体材料領域と異なる異種材料から成る異種材料領域とで形成してあり、本体材料領域と異種材料領域とは、互いに撥水性が異なることを特徴としている。
【発明の効果】
【０００８】
本発明に係わる浴室戸は、上記構成を採用したことにより、本体材料領域と異種材料領域との境界で水滴が破壊されて流下するようになり、スロープの水切り性を高めることができる。これにより、スロープの表面を速やかに乾燥させることが可能になり、安全で衛生的な状態を得ることができる。
【図面の簡単な説明】
【０００９】
【図１】本発明に係わる浴室戸の第１実施形態を説明する正面図（Ａ）及び断面図（Ｂ）である。
【図２】図１に示す枠体の下枠の断面図である。
【図３】スロープの平面図である。
【図４】スロープにおける溝の配置例を示す断面説明図である。
【図５】スロープにおける溝の他の配置例を示す断面説明図である。
【図６】本発明に係わる浴室戸のスロープと従来のスロープとの比較実験において、散水時の画像である。
【図７】散水から３秒後の画像である。
【図８】散水から８秒後の画像である。
【図９】散水から１５秒後の画像である。
【図１０】本発明に係わる浴室戸の第２実施形態を説明する要部の断面図である。
【発明を実施するための形態】
【００１０】
〈第１実施形態〉
図１（Ａ）及び（Ｂ）に示す浴室戸１は、建物躯体に固定する枠体２と、枠体２の内部に設けた障子３とを備えている。また、図示例の浴室戸１は、片側半分に、曇りガラス等のパネル４を嵌め殺し状態に備えており、残る片側半分を出入口として障子３で開閉するものである。障子３は、曇りガラス等のパネル５を組み込んだ引戸である。
【００１１】
枠体１は、上枠６と、左右の竪枠７，７と、下枠８とを備えている。この枠体１を構成する下枠８は、浴室側に下り傾斜したスロープ９が設けてある。下枠８は、図２にも示すように、本体部材１０と、障子３を案内するレール部材１１とを備えると共に、本体部材１０に、浴室側に延出する支持片１０Ａを有し、この支持片１０Ａにねじ止めした固定具１２を介して、スロープ９が取り付けてある。
【００１２】
そして、浴室戸１は、図３に示すように、スロープ９の少なくとも表面（上面）が、本体材料領域Ａと、本体材料領域Ａと異なる異種材料から成る異種材料領域Ｂとで形成してある。本体材料領域Ａと異種材料領域Ｂとは、互いに撥水性が異なるものである。この実施形態では、異種材料領域Ｂの方が、本体材料領域Ａよりも撥水性が大きい構成である。
【００１３】
より詳細に説明すると、スロープ９は、図３に示す断面上において、傾斜上位側の端部に、本体部材１０の突片１０Ｂへの係合部９Ａを有すると共に、中間部の下面に、固定具１２に係合する固定片９Ｂを有し、傾斜下位側の端部に、下方に開放された溝部９Ｃを有している。溝部９Ｃには、浴室床面に接触する樹脂製のフィンＦが取り付けてある。
【００１４】
また、スロープ９は、傾斜方向の中央部よりも下位側に、上方に開放された２つの取付溝９Ｄ，９Ｄが所定の間隔で配置してあると共に、表面（上面）には、微細な排水溝９Ｇが傾斜方向に所定間隔で形成してある。そして、スロープ９は、取付溝９Ｄ，９Ｄに、異種部材１３，１３を設けた構成になっている。
【００１５】
上記の枠体２を構成する上枠６、左右の竪枠７，７、及び下枠８は、例えばアルミニウム合金製であり、押し出し成形された形材である。したがって、下枠８は、スロープ９、本体部材１０、及びレール部材１１を長手方向に沿って有している。スロープ９は、本体部材１０と別部材であって、同じく形材から成るものであり、係合部９Ａ，固定片９Ｂ、溝部９Ｃ及び取付溝９Ｄ，９Ｄを長手方向にわたって有している。
【００１６】
異種部材１３は、合成樹脂製の長尺部材であって、表面（上面）に、滑り止め用の微細な突条１３Ｔが傾斜方向に所定間隔で形成してある。この異種部材１３は、下面に固定用の脚片１３Ａを有しており、スロープ９の取付溝９Ｄの端部から、脚片１３Ａを長手方向に嵌入する。これにより、異種部材１３は、スロープ９に対して容易に離脱することなく装着され、その表面が、スロープ９の表面とほぼ同一面状に連なる。また、スロープ９の端部には、図３に示すように、小口を塞ぐためのキャップ１４を装着する。
【００１７】
上記構成を備えたスロープ９は、その表面において、傾斜上位側に、当該スロープ９の主材料（アルミニウム合金）から成る本体材料領域Ａを有し、傾斜下位側に、主材料と異なる異種材料（合成樹脂製の異種部材１３）から成る２つの異種材料領域Ｂ，Ｂを平行に有している。つまり、異種材料領域Ｂは、スロープ９の見込み方向（傾斜方向）の中央部よりも浴室内側に配置してある。
【００１８】
この際、異種材料領域Ｂは、スロープの左右方向にわたって設けてある。また、２つの異種材料領域Ｂ，Ｂの間も本体材料領域Ａである。これにより、スロープ９は、その傾斜方向すなわち下枠８の長手方向に直交する方向において、本体材料領域Ａと異種部材領域Ｂとを交互に配置したものとなっている。
【００１９】
ここで、合成樹脂は、アルミニウム合金よりも撥水性が高いことが周知である。したがって、上記のスロープ９の表面は、本体材料領域Ａよりも、異種材料領域Ｂの方が撥水性が高い構成である。別の表現をすれば、スロープ９の表面は、いずれの領域Ａ，Ｂも疎水性であるが、本体材料領域Ａにおける水の接触角よりも、異種部材領域Ｂにおける水の接触角の方が大きい構成である。
【００２０】
上記構成を備えた浴室戸１は、浴室側に下り傾斜を成すスロープ９により、浴室の出入口の段差を解消すると共に、その傾斜により水を浴室側に流す。この際、浴室戸は、スロープ９の表面に水が残留しようとすると、その表面に、互いに撥水性が異なる本体材料領域Ａ及び異種材料領域Ｂを有しているので、双方の領域の境界において、残留水の表面張力のバランスを崩して水滴を破壊する。換言すれば、水滴の形成を阻止する。これにより、水は残留することなく流下する。
【００２１】
このようにして、上記の浴室戸１は、スロープ９の水切り性を高めることができ、これにより、スロープ９の表面を速やかに乾燥させることが可能になり、安全で衛生的な状態を得ることができる。
【００２２】
また、上記の浴室戸１は、異種材料領域Ｂを、スロープ９の左右方向にわたって設けたことにより、本体材料領域Ａと異種材料領域Ｂとの境界もスロープ９の左右方向に沿って存在することになる。これにより、浴室戸１は、残留水の形成をスロープ９の表面全域で阻止することを可能にし、スロープ９の水切り性をより一層高めることができ、しかも、異種材料領域Ｂを形成する異種材料１３により、滑り止めの機能も向上する。
【００２３】
さらに、緩い角度で傾斜したスロープ９では、傾斜下位側に水が残留しやすい。これに対して、上記の浴室戸１は、スロープ９の傾斜下位側に２つの異種材料領域Ｂを所定間隔で配置することにより、傾斜下位側に残留し易い水を流下させて、スロープ９の表面を速やかに乾燥状態にし得るものとなる。
【００２４】
また、スロープ９は、傾斜方向において、複数（図示例では２つ）の本体材料領域Ａと、複数（図示例では２つ）の異種部材領域Ｂとを交互に配置している。これにより、スロープ９は、水滴を破壊する両領域Ａ，Ｂの境界を多く確保すると共に、本体部材領域Ａにおける排水溝９Ｇや、異種部材領域Ｂにおける突条１３Ｔ間の溝によっても水滴を破壊することができ、水切り性のさらなる向上を実現する。
【００２５】
さらに、スロープ９は、異種材料領域Ｂが、スロープ９の見込み方向（傾斜方向）の中央部よりも浴室内側に配置してある。これにより、スロープ９は、水が残留しやすい浴室内側で撥水性が高くなり、両領域Ａ，Ｂの境界による水滴の破壊効果も相俟って、流下する水滴に対して水切り性のさらなる向上を実現する。
【００２６】
図４及び図５は、浴室戸１を構成するスロープにおける溝の配置例を示す各々断面説明図である。各図に要部を示すスロープ９は、その表面（上面）の傾斜上位側に、本体材料（アルミニウム合金）から成る本体材料領域Ａを有し、その下位側に、異種部材１３から成る異種部材領域Ｂを有している。先述したように、スロープ９は、その左右方向にわたって平行に配置した複数の排水溝９Ｇを有している。これに対して、異種部材１３は、同じく長手方向にわたって平行に配置した複数の突条１３Ｔを有している。この異種部材１３は、突条１３Ｔ同士の間で、長手方向にわたる排水溝１３Ｇを形成している。
【００２７】
図４に示すスロープ９は、本体材料領域Ａにおける排水溝９ＧのピッチＰ１と、異種材料領域Ｂ（異種部材１３）における排水溝１３ＧのピッチＰ２とが、互いに異なるものになっており、図示例では、異種部材１３の排水溝１３ＧのピッチＰ２の方が小さい（Ｐ１＞Ｐ２）構成である。ピッチＰ１，Ｐ２は、隣接する取付溝９Ｇ，１３Ｇ同士の中心線の間隔である。
【００２８】
また、スロープ９は、異種部材１３の排水溝１３Ｇの底面が、スロープ９の本体部の表面よりも上方に位置する構造としてある。また、図中に仮想線で示すキャップ１４の上面は、スロープ９と同一面状に連続している。これにより、異種部材１３の排水溝１３Ｇは、キャップ１４側の端部で開放されており、水切れが良いものとなっている。
【００２９】
図５に示すスロープ９は、異種部材１３が、スロープ９の排水溝９Ｇと同ピッチＰ１で排水溝１３Ｇを有すると共に、その両側すなわち傾斜上位側及び傾斜下位側に、さらに小さいピッチＰ３で排水溝１３Ｇを有している。
【００３０】
上記の各スロープ９は、いずれも本体材料領域Ａと異種材料領域Ｂとの境界において、水滴を破壊して流下させる機能を備えると共に、長手方向にわたって設けた排水溝９Ｇ，１３Ｇにより、流下した水滴の破壊効果も得られるので、水切り性のさらなる向上を実現することができる。
【００３１】
また、スロープ９は、本体材料領域Ａの排水溝９ＧのピッチＰ１と、異種材料領域Ｂの排水溝１３ＧのピッチＰ２とを互いに異ならせてあるとともに本体材料領域Ａにおける排水溝９ＧのピッチＰ１よりも、異種材料領域Ｂ（異種部材１３）における排水溝１３ＧのピッチＰ２を小さくしたことにより、ピッチの小さい部分ではピッチの大きい部分と比べて突条１３Ｔの数が多くなるため、足の裏がその部分に接触した際の摩擦力が増えることで、滑り止め機能を高めることができる。
【００３２】
さらに、スロープ９は、異種部材１３が、本体材料領域Ａの排水溝９Ｇと同ピッチＰ１で排水溝１３Ｇを有すると共に、その排水溝１３Ｇの傾斜上位側及び傾斜下位側に、さらに小さいピッチＰ３の排水溝１３Ｇを有している。これにより、傾斜上位側の狭い排水溝１３Ｇで破壊できなかった水滴については、その下位側の広い排水溝１３Ｇで水滴を円滑に流下させ、さらに下位側における狭い排水溝１３Ｇにおいて水滴を破壊することとなり、水切り機能のさらなる向上を実現することができる。
【００３３】
さらに、スロープ９は、異種部材１３の排水溝１３Ｇの底面をスロープ９の本体部の表面よりも上方に位置する構造とすることで、本体材料領域Ａと異種材料領域Ｂとに段差が生じ、この段差によって水滴の破壊効果を得ることができ、水切り性がより高められる。
【００３４】
〈比較実験〉
上記実施形態で説明した浴室戸１のスロープ（９）と、比較例のスロープとについて、水切り性を確認するための比較実験を行った。図６〜図９は、散水及びその後の経時変化を撮影した画像であり、各図中で左側が上記実施形態のスロープであり、右側が比較例のスロープである。比較例のスロープは、アルミニウム合金製であり、その表面は本体材料領域のみである。
【００３５】
図６は、両スロープ上に散水した際の画像である。図７は、散水から３秒後の画像である。図７の画像から、比較例のスロープでは多くの残留水が確認できる。これに対して、実施形態のスロープでは、残留水が明らかに少なく、既にこの段階で水切れが良好であることが判る。
【００３６】
図８は、散水から８秒後の画像である。図８の画像から、比較例のスロープでは数カ所に残留水が確認できる。これに対して、実施形態のスロープでは、残留水がほとんどないことが判る。
【００３７】
そして、図９は、散水から１５秒後の画像である。図９の画像から、比較例のスロープでは、散水から８秒後（図８）に残留していたい水がそのまま残留していることが確認できる。これに対して、実施形態のスロープは、残留水が全くなく、乾燥状態に近いことが判る。
【００３８】
以上の比較実験により、上記実施形態の浴室戸１のスロープ９は、比較例に比べて、格段に水切り性に優れていることが判明し、表面を速やかに乾燥状態にして、安全で衛生的な状態を充分に確保し得るものであることを確認した。
【００３９】
〈第２実施形態〉
図１０は、本発明に係わる浴室戸の第２実施形態を説明する図である。なお、この実施形態では、第１実施形態と同一の構成部位には同一符号を付して詳細な説明を省略する。
【００４０】
図示の浴室戸１は、第１実施形態と同様の基本構成を備えたものである。下枠８を構成するスロープ９は、その主材料がアルミニウム合金等の金属製であり、幅の広い１本の取付溝９Ｄを有している。また、異種部材１３は、合成樹脂製であり、その下面に一対の鈎型の脚片１３Ａ，１３Ａを有している。この異種部材１３は、スロープ９の取付溝９Ｄの端部から、両脚片１３Ａ，１３Ａを長手方向に嵌入することで装着され、その表面が、スロープ９の表面とほぼ同一面状に連なる。
【００４１】
上記の浴室戸１は、スロープ９の表面（上面）に、当該スロープ９の主材料（アルミニウム合金）から成る本体材料領域（Ａ）と、主材料と異なる異種材料（樹脂製の異種部材１３）から成る異種部材領域（Ｂ）とを形成しており、本体材料領域よりも、異種部材領域の方が撥水性が高い（水の対する接触角が大きい）構成になっている。
【００４２】
上記の浴室戸１にあっても、第１実施形態と同様に、スロープ９の表面に水が残留しようとすると、互いに撥水性が異なる本体材料領域と異種材料領域との境界において、残留水の表面張力のバランスを崩して水滴を破壊し、その水を傾斜に沿って流下させる。これにより、スロープ９の水切り性を高めることができ、また、スロープ９の表面を速やかに乾燥させることが可能になり、安全で衛生的な状態を得ることができる。
【００４３】
なお、本発明に係わる浴室戸は、構成の細部が上記各実施形態に限定されるものではなく、本発明の要旨を逸脱しない範囲で適宜変更することが可能である。例えば、スロープの主材料及び異種部材の材料は、互いに撥水性が異なるものであり、スロープの強度や耐性などを満足し得るものであれば、アルミニウム合金や合成樹脂以外の各種材料を使用することができる。
【００４４】
また、上記各実施形態では、スロープに、その左右方向にわたる２本又は１本の異種部材を配置した構成を説明したが、異種部材の配置は様々である。例えば、スロープの表面全域に対して複数の異種部材を所定間隔で配置しても良く、このほか、適当な長さの異種部材を破線状や左右交互に配置したりすることもできる。この際、異種部材は、滑り止めとしての機能をも有するので、その長手方向をスロープの左右方向にして配置するのがより望ましい。また、異種部材領域は、スロープ本体に装着した異種部材で形成することに限らず、スロープの表面に貼着したり塗布したりする異種材料で形成しても良い。さらに、スロープの本体材料領域及び異種材料領域には、様々な形態の排水溝や突条を様々な配置で設けることが可能である。
【符号の説明】
【００４５】
１  浴室戸
２  枠体
３  障子
８  下枠
９  スロープ
１３  異種部材（異種材料）
Ａ  本体材料領域
Ｂ  異種材料領域
【図１】
2018188843.tif 000003
【図２】
2018188843.tif 000004
【図３】
2018188843.tif 000005
【図４】
2018188843.tif 000006
【図５】
2018188843.tif 000007
【図６】
2018188843.tif 000008
【図７】
2018188843.tif 000009
【図８】
2018188843.tif 000010
【図９】
2018188843.tif 000011
【図１０】
2018188843.tif 000012